【事件の表示】
　特願２０１２−　２３３５０「ＭＥＭＳ表示素子駆動システムおよび方法」拒絶査定不服審判事件〔平成２４年　８月２３日出願公開、特開２０１２−１５９８４２〕について、次のとおり審決する。
【結　論】
　本件審判の請求は、成り立たない。
【理　由】
１　手続の経緯と本願発明
　本件出願は，２００５年８月２３日（パリ条約による優先権主張外国庁受理２００４年８月２７日，米国，２００４年８月３１日，米国，２００５年２月２５日，米国）を国際出願日とする出願の一部を平成２４年２月６日に新たな特許出願としたものであって，平成２５年１月２２日付け拒絶理由通知に対して同年７月２９日付けで意見書と手続補正書が提出されたが，同年１０月１１日付けで拒絶査定がなされ，これを不服として平成２６年２月２４日付けで審判請求がなされるとともに手続補正書が提出されたものであって，その請求項２０に係る発明（以下，「本願発明」という。）は，平成２６年２月２４日付け手続補正書の特許請求の範囲の請求項２０に記載された以下のとおりのものと認める。
　
「ＭＥＭＳ表示素子アレイの一部を含む一組のＭＥＭＳ表示素子を作動させる方法であって，
　表示書き込み過程において第１の極性のみの電位差で前記ＭＥＭＳ表示素子に第１のフレームの表示データを書き込むことと，
　前記一組のＭＥＭＳ表示素子を解放することと，
　前記表示書き込み過程において前記第１の極性とは逆の極性のみを有する電位差で前記ＭＥＭＳ表示素子に第２のフレームの表示データを書き込むこととを含み，
　前記表示書き込み過程において書き込まれる各フレームは，異なる表示データを具備し，
　　前記第１の極性の電位差は，第１の列電圧よりも高い第１の行電圧に基づくとともに，前記逆の極性の電位差は，第２の列電圧よりも低い第２の行電圧に基づく，方法。」
　
２　引用発明
　原査定の拒絶の理由に引用された特開２０００−１２１９７０号公報(以下，「引用例」という。)には，「アレイ型光変調素子及び平面ディスプレイの駆動方法」（発明の名称）に関し，図面とともに以下の事項が記載されている。
　
ア　「【請求項１】  静電気力による可撓部の変位動作と，該可撓部の弾性復帰動作により光変調を行う電気機械的な光変調素子を２次元のマトリクス状に配列して走査電極信号に従い各画素を選択し，画素電極にデータ信号を与えて駆動するアレイ型光変調素子の駆動方法において，
光変調素子の電極に交流信号を印加して交流駆動を行うことを特徴とするアレイ型光変調素子の駆動方法。
【請求項２】  前記アレイ型光変調素子の交流駆動は，走査駆動信号の基本周期を奇数フレームと偶数フレームに分割し，前記奇数フレームと偶数フレームでは駆動信号の極性を反転することを特徴とする請求項１記載のアレイ型光変調素子の駆動方法。」
　
イ　「【０００１】
【発明の属する技術分野】本発明は，マイクロマシニングにより作製され，電気機械動作により光の透過率を変化させるアレイ型光変調素子，及び該アレイ型光変調素子を用いた平面ディスプレイの駆動方法に関し，特に，アレイ型光変調素子及び平面ディスプレイの交流駆動に関するものである。」
　
ウ　「【０００８】請求項２に記載のアレイ型光変調素子の駆動方法は，前記アレイ型光変調素子の交流駆動は，走査駆動信号の基本周期を奇数フレームと偶数フレームに分割し，前記奇数フレームと偶数フレームでは駆動信号の極性を反転することを特徴とする。
【０００９】このアレイ型光変調素子の駆動方法では，奇数フレームの駆動信号を，例えば，正極性とし，偶数フレームの駆動信号を負極性とすれば，１フレーム周期のトータルで変調素子への印加電圧は交流駆動となり平衡性を保持することができる。」
　
エ　「【００３７】同じ行に配列された光変調素子１０の一方のそれぞれの電極は，共通に接続して走査電極７としてある。この走査電極には電位Ｖｇが印加される。又，同じ行に配列された光変調素子１０のそれぞれの電極は，共通に接続して信号電極２としてある。この信号電極には電位Ｖｂが印加される。従って，各光変調素子１０に印加される電極間電圧ＶｇｓはＶｂ−Ｖｇとなる。
【００３８】アレイ型光変調素子５０を駆動するには，走査信号に従って，行順次に走査電極７を走査し，これと同期させて，走査された電極７に対応するデータ信号を信号電極２に印加する。
【００３９】ここで，走査電極７には，リセット信号，選択信号，非選択信号の三種類の信号（電圧）が与えられる。リセット信号は，光変調素子１０の以前の状態や信号電極電圧に拘わらず，その行の光変調素子１０をＯＦＦ（光遮蔽）にする。この時の走査電極の電圧をＶｇ(r)とする。」
　
オ　「【００４７】次に，このような電極間電圧Ｖｇｓと透過率との関係を利用して，光変調素子１０を２次元に配置したマトリクスにデータを書き込む方法を説明する。マトリクスとして図３に示した２行２列のマトリクスを用い，データの書き込みを行う。マトリクスの各光変調素子１０には，以下のＯＮ，ＯＦＦデータを書き込むものとする。
Ｔr(1,1)  →  ＯＮ        Ｔr(1,2)  →  ＯＦＦ
Ｔr(2,1)  →  ＯＦＦ      Ｔr(2,2)  →  ＯＮ
【００４８】マトリクスには，図６に示すような波形の電圧を印加する。例えば，奇数フレーム，偶数フレームの１行目Ｖｇ(1)には，
ｔ１：リセット電圧      ｔ２：選択電圧
ｔ３：非選択電圧        ｔ４：非選択電圧
を印加する。１列目Ｖｂ(1)には，
ｔ１：don't care        ｔ２：ＯＮ電圧
ｔ３：ＯＦＦ電圧     ｔ４：don't care
を印加する。これにより，図７に示すように，各光変調素子１０に所望のデータが行順次で書き込まれる。そして，光変調素子のリセット走査の後に，該素子の変位動作又は状態維持を選択する書き込み走査を行うことで，素子のヒステリシス特性により書き込み走査前の状態が次の動作に影響を及ぼすことが防止され，安定した書き込み走査を行うことができる。また，素子のヒステリシス特性により，単純マトリクス構成の二次元光変調アレイを矛盾なく，即ち，非選択走査ライン上の画素が書き込み走査時に設定されたＯＮ／ＯＦＦ状態を確実に維持されるように駆動することが可能となる。
【００４９】例えば上述の１行１列目のマトリクスＴr(1,1)の場合では，Ｖｇｓ＝Ｖｂ(1)−Ｖｇ(1)であるから，奇数フレーム，偶数フレームで，
ｔ１：リセット電圧（ＯＦＦ）  ｔ２：ＯＮ
ｔ３：状態維持                ｔ４：状態維持
となる。
【００５０】従って，ｔ２におけるＯＮの状態が維持（メモリー）され，その結果，マトリクスＴr(1,1)は光変調素子１０が「ＯＮ」の状態となる。その他，同様にして，他のマトリクスＴr(1,2)は「ＯＦＦ」，Ｔr(2,1)は「ＯＦＦ」，Ｔr(2,2)は「ＯＮ」の状態となる。
【００５１】以上の動作により，図６に示す奇数フレーム及び偶数フレームのＶｇ，Ｖｂ印加電圧により，変調要素の印加電圧Ｖｇｓは，図７に示すように，１フレーム（基本周期）毎に奇数フレームと偶数フレームは０Ｖを中心に交流化され，直流成分が無くなり，単純マトリクスの交流駆動が行われ，確実な動作を実現しつつアレイ型光変調素子の大型化，高精細化を図ることができる。」
　
　上記引用例の記載及び図面ならびにこの分野における技術常識を考慮すると，
ａ　上記引用例記載の「駆動方法」は「静電気力による可撓部の変位動作と，該可撓部の弾性復帰動作により光変調を行う電気機械的な光変調素子を２次元のマトリクス状に配列して走査電極信号に従い各画素を選択し，画素電極にデータ信号を与えて駆動するアレイ型光変調素子の駆動方法」（摘記事項アの【請求項１】）であって，該「アレイ型光変調素子」は「マイクロマシニングにより作製され，電気機械動作により光の透過率を変化させるアレイ型光変調素子」（摘記事項イの段落【０００１】）である。
ｂ　上記「駆動方法」では「光変調素子の電極に交流信号を印加して交流駆動を行」（摘記事項アの【請求項１】）い，該「交流駆動」は「走査駆動信号の基本周期を奇数フレームと偶数フレームに分割し，前記奇数フレームと偶数フレームでは駆動信号の極性を反転」（摘記事項アの【請求項２】）する駆動であり，また，「光変調素子のリセット走査の後に，該素子の変位動作又は状態維持を選択する書き込み走査を行」（摘記事項オの段落【００４８】）う駆動である。
ｃ　上記「駆動方法」では，「基本周期を奇数フレームと偶数フレームに分割」（摘記事項アの【請求項２】）しており，また，第１の実施の形態である【図６】の記載も参酌すると，「書き込み走査において書き込まれる奇数フレームと偶数フレームは，同じ表示データを具備」していることは明らかである。
ｄ　上記「駆動方法」において，「この走査電極には電位Ｖｇが印加される。・・・（中略）・・・この信号電極には電位Ｖｂが印加される。従って，各光変調素子１０に印加される電極間電圧ＶｇｓはＶｂ−Ｖｇとなる。」（摘記事項エの段落【００３７】）から，「駆動信号の極性」は「信号電極（画素電極）の電圧Ｖｂ」と「走査電極の電位Ｖｇ」に基づくものであり，また，これらの電位の高低関係について第１の実施の形態である【図６】及び【図７】の記載を参酌すると，「前記奇数フレームにおける駆動信号の極性は，画素電極の電圧Ｖｂよりも低い走査電極の電圧Ｖｇに基づくとともに，前記偶数フレームにおける駆動信号の極性は，画素電極の電圧Ｖｂよりも高い走査電極の電圧Ｖｇに基づく」ものである。
　
　以上を総合すると，上記引用例には，以下の発明（以下，「引用発明」という。）が開示されている。
　
「静電気力による可撓部の変位動作と，該可撓部の弾性復帰動作により光変調を行う電気機械的な光変調素子を２次元のマトリクス状に配列して走査電極信号に従い各画素を選択し，画素電極にデータ信号を与えて駆動するアレイ型光変調素子の駆動方法であって，上記アレイ型光変調素子はマイクロマシニングにより作製され，電気機械動作により光の透過率を変化させるアレイ型光変調素子であり，
　光変調素子の電極に交流信号を印加して交流駆動を行い，該交流駆動は，走査駆動信号の基本周期を奇数フレームと偶数フレームに分割し，前記奇数フレームと偶数フレームでは駆動信号の極性を反転し，また，光変調素子のリセット走査の後に，該素子の変位動作又は状態維持を選択する書き込み走査を行い，
　前記書き込み走査において書き込まれる奇数フレームと偶数フレームは，同じ表示データを具備し，
　前記奇数フレームにおける駆動信号の極性は，画素電極の電圧Ｖｂよりも低い走査電極の電圧Ｖｇに基づくとともに，前記偶数フレームにおける駆動信号の極性は，画素電極の電圧Ｖｂよりも高い走査電極の電圧Ｖｇに基づく，方法。」
　
３　対比
　本願発明と引用発明とを対比するに，
ａ　引用発明の「アレイ型光変調素子」は，「マイクロマシニングにより作製され，電気機械動作により光の透過率を変化させる」ものであるから「ＭＥＭＳ」であり，また，「画素電極にデータ信号を与えて駆動する」ものであるから「表示素子」であることも明らかである。
　そうすると，引用発明の「静電気力による可撓部の変位動作と，該可撓部の弾性復帰動作により光変調を行う電気機械的な光変調素子を２次元のマトリクス状に配列して走査電極信号に従い各画素を選択し，画素電極にデータ信号を与えて駆動するアレイ型光変調素子の駆動方法であって，上記アレイ型光変調素子はマイクロマシニングにより作製され，電気機械動作により光の透過率を変化させるアレイ型光変調素子であり」は，
　本願発明の「ＭＥＭＳ表示素子アレイの一部を含む一組のＭＥＭＳ表示素子を作動させる方法であって」に相当する。
ｂ　引用発明の「書き込み走査」では「奇数フレーム」に引き続いて「偶数フレーム」に「表示データ」が書き込まれるが，引用発明の「前記奇数フレームにおける駆動信号の極性は，画素電極の電圧Ｖｂよりも低い走査電極の電圧Ｖｇに基づくとともに，前記偶数フレームにおける駆動信号の極性は，画素電極の電圧Ｖｂよりも高い走査電極の電圧Ｖｇに基づく」の構成によれば，「奇数フレーム」に「表示データ」を書き込むときには「画素電極の電圧Ｖｂよりも低い走査電極の電圧Ｖｇに基づく」「駆動信号の極性」のみで書き込んでおり，該「極性」は本願発明の「第１の極性」に相当し，また，「偶数フレーム」に「表示データ」を書き込むときには「画素電極の電圧Ｖｂよりも高い走査電極の電圧Ｖｇに基づく」「駆動信号の極性」のみで書き込んでおり，該「極性」は本願発明の「第１の極性とは逆の極性」に相当する。そして，このような駆動は「交流駆動」と言える。
　また，引用発明の「奇数フレーム」，「偶数フレーム」は，それぞれ本願発明の「第１のフレーム」，「第２のフレーム」に相当する。
　さらに，引用発明では「光変調素子のリセット走査の後に，該素子の変位動作又は状態維持を選択する書き込み走査を行」っていることから，上記「偶数フレーム」に「表示データ」が書き込まれる直前には「光変調素子のリセット走査」が行われている。ここで，該「リセット走査」に関し，引用例の「リセット信号は，光変調素子１０の以前の状態や信号電極電圧に拘わらず，その行の光変調素子１０をＯＦＦ（光遮蔽）にする。」（摘記事項エの段落【００３９】）の記載及び第１の実施の形態である【図１】，【図２】の記載によれば，該「リセット走査」時には光変調素子の２つの信号電極（走査電極及び画素電極）は離間した状態，すなわち，「解放」された状態であるといえる。
　そうすると，引用発明の奇数フレームへの書き込みと偶数フレームへの書き込みの間の時間に「光変調素子」を「解放」しているといえる。
　以上の検討によれば，
　引用発明の「光変調素子の電極に交流信号を印加して交流駆動を行い，該交流駆動は，走査駆動信号の基本周期を奇数フレームと偶数フレームに分割し，前記奇数フレームと偶数フレームでは駆動信号の極性を反転し，また，光変調素子のリセット走査の後に，該素子の変位動作又は状態維持を選択する書き込み走査を行い」は，
　本願発明の「表示書き込み過程において第１の極性のみの電位差で前記ＭＥＭＳ表示素子に第１のフレームの表示データを書き込むことと，前記一組のＭＥＭＳ表示素子を解放することと，前記表示書き込み過程において前記第１の極性とは逆の極性のみを有する電位差で前記ＭＥＭＳ表示素子に第２のフレームの表示データを書き込むこととを含み」
　に相当する。
ｃ　上記ｂでの検討を踏まえると，
　引用発明の「前記書き込み走査において書き込まれる奇数フレームと偶数フレームは，同じ表示データを具備し」と，
　本願発明「前記表示書き込み過程において書き込まれる各フレームは，異なる表示データを具備し」とは，
　「前記表示書き込み過程において書き込まれる各フレームは，表示データを具備し」の点で共通する。
ｄ　本願図面の【図８Ａ】，【図８Ｂ】等の記載及び本願明細書の「フレームＮは図５Ｂに示すように，ＭＥＭＳデバイス作動の期間，列電極より１０Ｖ高い行電極で書き込まれる。これをここで正極性と名付ける。作動の期間，列電極は−５Ｖであることができる。また，この例では行に関する走査電圧は＋５Ｖである。」（段落【００３３】）の記載によれば，本願発明の「列電極」，「行電極」はそれぞれデータ信号線，走査信号線であって，引用発明の「画素電極」，「走査電極」に相当するから，
　引用発明の「前記奇数フレームにおける駆動信号の極性は，画素電極の電圧Ｖｂよりも低い走査電極の電圧Ｖｇに基づくとともに，前記偶数フレームにおける駆動信号の極性は，画素電極の電圧Ｖｂよりも高い走査電極の電圧Ｖｇに基づく」と，
　本願発明の「前記第１の極性の電位差は，第１の列電圧よりも高い第１の行電圧に基づくとともに，前記逆の極性の電位差は，第２の列電圧よりも低い第２の行電圧に基づく」とは，
　「前記第１の極性の電位差と前記逆の極性の電位差は，列電圧と行電圧に基づく」の点で共通する。
　
　以上をまとめると，両者は以下の点で一致ないし相違している。
　
（一致点）
「ＭＥＭＳ表示素子アレイの一部を含む一組のＭＥＭＳ表示素子を作動させる方法であって，
　表示書き込み過程において第１の極性のみの電位差で前記ＭＥＭＳ表示素子に第１のフレームの表示データを書き込むことと，
　前記一組のＭＥＭＳ表示素子を解放することと，
　前記表示書き込み過程において前記第１の極性とは逆の極性のみを有する電位差で前記ＭＥＭＳ表示素子に第２のフレームの表示データを書き込むこととを含み，
　前記表示書き込み過程において書き込まれる各フレームは，表示データを具備し，
　前記第１の極性の電位差と前記逆の極性の電位差は，列電圧と行電圧に基づく，方法。」　
（相違点１）
　「前記表示書き込み過程において書き込まれる各フレーム」が「具備」する「表示データ」が，本願発明では「異なる表示データ」であるのに対し，引用発明では，「同じ表示データ」である点。
（相違点２）
　「前記第１の極性の電位差と前記逆の極性の電位差は，列電圧と行電圧に基づく」点に関し，
　本願発明では，「第１の極性の電位差は，第１の列電圧よりも高い第１の行電圧に基づくとともに，前記逆の極性の電位差は，第２の列電圧よりも低い第２の行電圧に基づく」ものであるのに対し，
　引用発明では，「前記奇数フレームにおける駆動信号の極性は，画素電極の電圧Ｖｂよりも低い走査電極の電圧Ｖｇに基づくとともに，前記偶数フレームにおける駆動信号の極性は，画素電極の電圧Ｖｂよりも高い走査電極の電圧Ｖｇに基づく」ものである，すなわち，「第１の極性の電位差は，第１の列電圧よりも低い第１の行電圧に基づくとともに，前記逆の極性の電位差は，第２の列電圧よりも高い第２の行電圧に基づく」ものである点。
　
４　検討
　まず，上記（相違点１）につき検討する。
　引用例の「走査駆動信号の基本周期を奇数フレームと偶数フレームに分割し，前記奇数フレームと偶数フレームでは駆動信号の極性を反転することを特徴とする。・・・（中略）・・・１フレーム周期のトータルで変調素子への印加電圧は交流駆動となり平衡性を保持することができる。」（摘記事項ウの段落【０００８】−【０００９】）の記載によれば，引用発明では，各基本フレーム毎に印加電圧の平衡性を保持するために，「走査駆動信号の基本周期を奇数フレームと偶数フレームに分割し，前記奇数フレームと偶数フレームでは駆動信号の極性を反転」することで「書き込み走査において書き込まれる奇数フレームと偶数フレームは，同じ表示データを具備」するよう構成しているが，液晶表示装置をはじめとした表示装置の分野における周知のフレーム反転駆動法において，フレームの分割処理を行うこと無く単にフレーム毎に極性反転させることは普通に行われていることであり（必要とあれば，原査定の拒絶の理由に引用された特開昭６３−５５５９０号公報の第１ページ右下欄第１２〜１５行「例えばテレビジョン画像の表示を行うには，現行の標準テレビジョン方式に従って，１フィールド毎または１フレーム毎に液晶画素に印加する電圧を反転させるようにしている。」の記載を参照されたい。），このとき各フレームの表示データが異なるデータとなることは明らかである。
　そうすると，引用発明において，「走査駆動信号の基本周期を奇数フレームと偶数フレームに分割し，前記奇数フレームと偶数フレームでは駆動信号の極性を反転」させる駆動法に代えて，上記普通に行われているフレーム毎に極性反転させるフレーム反転駆動法を採用することにより，本願発明のように「前記表示書き込み過程において書き込まれる各フレームは，異なる表示データを具備」する構成とすることは，当業者が必要に応じて適宜なし得るものである。
　
　次に，上記（相違点２）につき検討する。
　フレーム反転駆動の際に正負どちらの極性を先に用いて駆動するかは適宜選択すべきことであって，作用効果上も格別の差異を生じないことは明らかであるから，引用発明の駆動信号の極性の順序を単に入れ替えることにより，本願発明のように「第１の極性の電位差は，第１の列電圧よりも高い第１の行電圧に基づくとともに，前記逆の極性の電位差は，第２の列電圧よりも低い第２の行電圧に基づく」ものとすることは，当業者が適宜なし得たものである。
　
　そして，本願発明が奏する効果も引用発明から容易に予測出来る範囲内のものである。
　
５　むすび
　以上のとおり，本願発明は，上記引用例に記載された発明に基づいて，当業者が容易に発明をすることができたものと認められるから，特許法第２９条第２項の規定により特許を受けることができない。
　
　よって，結論のとおり審決する。